(57)【要約】【課題】現在の状態に制御される前の負荷の状態を容易に再現できる負荷制御システムを提供する。【解決手段】一括制御機能を有する第１操作制御端末器１Ａの記憶部１３に、各操作スイッチＳ５１〜Ｓ５３の制御対象である負荷Ｌの状態（点灯、消灯、調光レベル）の履歴を記憶しておく。制御対象である負荷Ｌが全て消灯している状態（既定状態）で所定の再現制御の操作入力が操作入力受付部１１で受け付けられたら、制御部１０が記憶部１３に記憶している履歴を参照して全ての負荷Ｌが消灯する一つ前の各負荷Ｌの状態を再現するためのパケットを送信する。故に使用者が負荷Ｌの状態を覚えていなくても第１操作制御端末器１Ａの操作スイッチを操作するだけの簡単な作業で現在の状態に制御される前の負荷Ｌの状態が容易に再現できる。【選択図】        図１
2010226663.tif 000002
【特許請求の範囲】
【請求項１】
それぞれに１乃至複数の負荷を制御する複数の制御端末器と、複数の操作スイッチを具備した１乃至複数の操作端末器とを有し、複数の制御端末器に制御される１乃至複数の負荷と操作端末器が具備する操作スイッチとの対応関係が予め決められるとともに、前記操作スイッチと負荷との対応関係には一つの操作スイッチに一つの負荷が対応する個別制御関係と一つの操作スイッチに複数の負荷が対応する一括制御関係とがあり、何れかの操作スイッチが操作されたときに当該操作スイッチと対応する１乃至複数の負荷がそれぞれの制御端末器によって個別制御又は一括制御される負荷制御システムであって、
前記１乃至複数のそれぞれの負荷について制御端末器によって制御される前後の状態を記憶する記憶手段を有し、
各操作端末器が具備する何れかの操作スイッチが操作されたときに、前記記憶手段に記憶されている現在の状態に制御される一つ前の状態が再現される再現制御を行うように各制御端末器がそれぞれの負荷を制御することを特徴とする負荷制御システム。
【請求項２】
所定の複数の負荷について記憶手段に記憶されている現在の状態が既定の状態である場合において、複数の負荷との間に一括制御関係が対応付けられている操作スイッチが操作されたときに、一括制御ではなく、前記再現制御を行うように各制御端末器がそれぞれの負荷を制御することを特徴とする請求項１記載の負荷制御システム。  
【請求項３】
制御端末器は、少なくとも制御対象である負荷への通電を入切する制御を行うものであって、前記所定の複数の負荷への通電が全て入又は全て切となっている状態を前記既定の状態とすることを特徴とする請求項２記載の負荷制御システム。
【請求項４】
操作端末器は、自己が有する各操作スイッチと負荷との対応関係並びに当該負荷の状態を記憶する前記記憶手段と、信号線を介して制御端末器との間でパケットを伝送する伝送手段と、操作スイッチが操作されたときに記憶手段に記憶されている対応関係の中から当該操作スイッチと個別制御関係又は一括制御関係にある１乃至複数の負荷を制御するための制御コマンドを生成し当該制御コマンドを含むパケットを伝送手段より各制御端末器へ伝送させる制御手段とを備え、
制御端末器は、信号線を介して操作端末器との間でパケットを伝送する伝送手段と、伝送手段で受信したパケットに含まれる制御コマンドに応じて負荷を制御するとともに当該制御コマンドの送信元である操作端末器に対して、制御後の負荷の状態を通知するためのパケットを伝送手段より伝送させる制御手段とを備え、
操作端末器の制御手段は、伝送手段で受信するパケットに含まれる制御後の負荷の状態を当該制御前の負荷の状態とともに記憶手段に記憶するとともに、特定の操作スイッチが操作されたときに記憶手段に記憶されている負荷の状態を参照して前記再現制御を行うための制御コマンドを生成し当該制御コマンドを含むパケットを伝送手段より各制御端末器へ伝送させることを特徴とする請求項１〜３の何れか１項に記載の負荷制御システム。
【請求項５】
操作端末器は、制御端末器から受け取った負荷の状態に応じて、制御対象である全ての負荷が動作状態であるか否かを表示する表示手段を備えたことを特徴とする請求項４記載の負荷制御システム。
【発明の詳細な説明】
【技術分野】
【０００１】
本発明は、操作スイッチを操作することで負荷を制御する負荷制御システムに関するものである。
【背景技術】
【０００２】
この種の負荷制御システムとしては、特許文献１に記載されているように時分割多重伝送信号を用いたものが従来より提供されている。
【０００３】
図１０に示すように、このシステムでは伝送制御装置１００に、２線式の信号線Ｌｓを介して、操作スイッチＳ１…を有する複数台の操作端末器１０２、照明負荷（以下、負荷と略す）１０４を制御する複数台の制御端末器１０３などが接続される。
【０００４】
操作端末器１０２及び制御端末器１０３にはそれぞれ個別のアドレス（個別アドレス）が設定され、この個別アドレスを用いて伝送制御装置１００が操作端末器１０２並びに制御端末器１０３をアクセスする。
【０００５】
伝送制御装置１００は信号線Ｌｓに対して、図１１（ａ）に示すフォーマットの伝送信号Ｖｓを送出する。すなわち、この伝送信号Ｖｓは信号送出開始を示す同期信号ＳＹ、伝送信号Ｖｓのモードを示すモードデータＭＤ、操作端末器１０２や制御端末器１０３を各別に呼び出すためのアドレスデータＡＤ、負荷１０４を制御する制御データＣＤ、伝送誤りを検出するためのチェックサムデータＣＳ、操作端末器１０２や制御端末器１０３からの返信信号（監視データ）を受信するタイムスロットである信号返信期間ＷＴよりなる双極性（±２４Ｖ）の時分割多重信号であり、パルス幅変調によってデータが伝送されるようになっている（図１１（ｂ））。各操作端末器１０２及び各制御端末器１０３では、信号線Ｌｓを介して受信した伝送信号Ｖｓにより伝送されたアドレスデータＡＤが予め設定されているアドレスに一致すると、伝送信号Ｖｓから制御データＣＤを取り込むとともに、伝送信号Ｖｓの信号返信期間ＷＴに監視データを電流モード信号（信号線Ｌｓを適当な低インピーダンスを介して短絡することにより送出される信号）として返信する。
【０００６】
伝送制御装置１００から所望の操作端末器１０２や制御端末器１０３にデータを伝送する場合には、モードデータＭＤを制御モードとし、操作端末器１０２または制御端末器１０３のアドレスをアドレスデータＡＤとする伝送信号Ｖｓを送出し、この伝送信号Ｖｓを信号線Ｌｓに送出すれば、アドレスデータＡＤに一致する操作端末器１０２または制御端末器１０３が制御データＣＤを受け取り、信号返信期間ＷＴに監視（状態）データを返信する。伝送制御装置１００では送出した制御データＣＤと信号返信期間ＷＴに受信した監視データとの関係によって制御データＣＤが所望の操作端末器１０２または制御端末器１０３に伝送されたことを確認する。制御端末器１０３は受け取った制御データＣＤに従って負荷１０４を制御するための負荷制御信号を出力し、操作端末器１０２では受け取った制御データＣＤに従って負荷１０４の動作確認表示を行なうための表示信号を出力する。
【０００７】
一方、伝送制御装置１００は通常時にはモードデータＭＤをダミーモードとした伝送信号Ｖｓを一定時間間隔で送出している（常時ポーリングという）。この場合、図１１の（ａ）に示すようにある制御端末器１０３に対してアクセスして、負荷状態を示す監視データの返信を要求し、これに対してアクセスされた制御端末器１０３からは接続している負荷状態を監視データとして伝送制御装置１００に返信する（図１１（ｂ））。この返信を受け取った伝送制御装置１００はこの制御端末器１０３に対応関係がある操作端末器１０２のアドレスをアクセスして対応する制御端末器１０３に接続されている負荷１０４の状態を表示させるための制御データＣＤを伝送制御装置から伝送する（図１１（ｃ））。
【０００８】
このようにして常時ポーリングでは制御端末器１０３とこの制御端末器１０３に対応関係を持つ操作端末器１０２のアドレスをアクセスする動作をサイクリックに繰り返している。
【０００９】
そして常時ポーリング下で、伝送制御装置１００に対して何らかの情報を伝送しようとするときには、ダミーモードの伝送信号Ｖｓの同期信号ＳＹに同期させて図１１（ｃ）のような割込信号を発生させる。このとき、操作端末器１０２は割込フラグを設定して伝送制御装置１００との以後の情報授受に備える。伝送制御装置１００では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器１０２では、割込ポーリングモードの伝送信号のアドレスデータＡＤの上位４ビットが操作端末器１０２に設定されているアドレスの上位４ビットに一致するときに、信号返信期間ＷＴにアドレスの下位４ビットを伝送制御装置１００に返信する。このように、伝送制御装置１００は割込信号を発生した操作端末器１０２を１６個ずつまとめて探すので、比較的短い時間で操作端末器１０２を発見することができる。
【００１０】
伝送制御装置１００が割込信号を発生した操作端末器１０２のアドレスを獲得すると、モードデータＭＤを監視モードとし、獲得したアドレスデータＡＤを持つ伝送信号Ｖｓを信号線Ｌｓに送出するのであって、この伝送信号Ｖｓに対して操作端末器１０２は伝送しようとする情報を信号返信期間ＷＴに返信するのである。最後に、伝送制御装置１００は割込信号を発生した操作端末器１０２に対して割込リセットを指示する信号を送出し、操作端末器１０２の割込フラグを解除する。以上のようにして、操作端末器１０２から伝送制御装置１００への情報伝送は、伝送制御装置１００から操作端末器１０２への４回の信号伝送（ダミーモード、割込ポーリングモード、監視モード、割込リセット）によって完了する。伝送制御装置１００が所望の制御端末器１０３の動作状態を知ろうとするときには、モードデータＭＤを監視データとした伝送信号を送出するだけでよい。
【００１１】
しかして、スイッチＳ１…の操作により操作データが発生すると、操作端末器１０２から操作データを監視データとして伝送制御装置１００に返信し、この操作データに基づいて生成した制御データＣＤを含む伝送信号Ｖｓを伝送制御装置１００が制御端末器１０３に伝送されると、制御端末器１０３が負荷１０４を制御（点滅）する。ここで、制御端末器１０３は監視データを伝送制御装置１００に返信し、返信された監視データを基に動作状態表示のための制御データＣＤを含む伝送信号Ｖｓを操作端末器１０２に伝送する。この伝送信号Ｖｓによって操作端末器１０２では負荷１０４の動作状態（点灯又は消灯）を表示する表示灯（発光ダイオードなど）を点灯・消灯する。
【００１２】
ところで、この種の負荷制御システムでは、スイッチと負荷１０４とのアドレスの対応関係を伝送制御装置１００で管理しているから、伝送制御装置１００において１つのスイッチのアドレスに対して複数の負荷１０４のアドレスを対応付けておけば、１つのスイッチで複数の負荷１０４を一括して制御することが可能である。このような一括制御にはグループ制御とパターン制御とがある。グループ制御では複数の負荷１０４を同じ制御状態に制御し、パターン制御では複数の負荷１０４をあらかじめ設定した制御状態に制御する。グループ制御やパターン制御を行なう一括制御用の操作端末器（図示せず）のスイッチには一括制御用として定められているアドレス（グループアドレスやパターンアドレス）が対応付けられるが、他の構成は他の操作端末器と同様のものである。
【００１３】
そして、一括制御用の操作端末器のスイッチが操作されて当該スイッチに割り当てられたアドレス（例えば、グループアドレス）が伝送制御装置１００で取得されると、伝送制御装置１００では、当該グループアドレスと対応付けられている複数の負荷１０４を制御するための制御データをそれぞれ生成して順番に制御端末器１０３に伝送する。その結果、同じグループに属する負荷１０４が一括して制御されることになる。
【先行技術文献】
【特許文献】
【００１４】
【特許文献１】特開２００３−３７８７９号公報（段落０００２−００１０，図６〜図８）
【発明の概要】
【発明が解決しようとする課題】
【００１５】
上記従来例では、複数の負荷１０４を誤って一括制御してしまった場合等において、負荷１０４を現在の状態に制御される前の状態に戻すには、個々の負荷１０４を個別に制御しなければならず、しかも、制御前の各負荷１０４の状態を使用者が覚えている必要があるために現在の状態に制御される前の負荷の状態を再現することが非常に困難であった。
【００１６】
本発明は上記事情に鑑みて為されたものであり、その目的は、現在の状態に制御される前の負荷の状態を容易に再現できる負荷制御システムを提供することにある。
【課題を解決するための手段】
【００１７】
請求項１の発明は、上記目的を達成するために、それぞれに１乃至複数の負荷を制御する複数の制御端末器と、複数の操作スイッチを具備した１乃至複数の操作端末器とを有し、複数の制御端末器に制御される１乃至複数の負荷と操作端末器が具備する操作スイッチとの対応関係が予め決められるとともに、前記操作スイッチと負荷との対応関係には一つの操作スイッチに一つの負荷が対応する個別制御関係と一つの操作スイッチに複数の負荷が対応する一括制御関係とがあり、何れかの操作スイッチが操作されたときに当該操作スイッチと対応する１乃至複数の負荷がそれぞれの制御端末器によって個別制御又は一括制御される負荷制御システムであって、前記１乃至複数のそれぞれの負荷について制御端末器によって制御される前後の状態を記憶する記憶手段を有し、各操作端末器が具備する何れかの操作スイッチが操作されたときに、前記記憶手段に記憶されている現在の状態に制御される一つ前の状態が再現される再現制御を行うように各制御端末器がそれぞれの負荷を制御することを特徴とする。
【００１８】
請求項１の発明によれば、各操作端末器が具備する何れかの操作スイッチが操作されたときに、記憶手段に記憶されている現在の状態に制御される一つ前の状態が再現される再現制御を行うように各制御端末器がそれぞれの負荷を制御するので、現在の状態に制御される前の負荷の状態を容易に再現できる。
【００１９】
請求項２の発明は、請求項１の発明において、所定の複数の負荷について記憶手段に記憶されている現在の状態が既定の状態である場合において、複数の負荷との間に一括制御関係が対応付けられている操作スイッチが操作されたときに、一括制御ではなく、前記再現制御を行うように各制御端末器がそれぞれの負荷を制御することを特徴とする。
【００２０】
請求項２の発明によれば、一括制御用の操作スイッチと再現制御用の操作スイッチとを兼用できる。
【００２１】
請求項３の発明は、請求項２の発明において、制御端末器は、少なくとも制御対象である負荷への通電を入切する制御を行うものであって、前記所定の複数の負荷への通電が全て入又は全て切となっている状態を前記既定の状態とすることを特徴とする。
【００２２】
請求項３の発明によれば、既定状態が単純な状態であるから、再現制御が行われるか否かを使用者が判断しやすい。
【００２３】
請求項４の発明は、請求項１〜３の何れか１項の発明において、操作端末器は、自己が有する各操作スイッチと負荷との対応関係並びに当該負荷の状態を記憶する前記記憶手段と、信号線を介して制御端末器との間でパケットを伝送する伝送手段と、操作スイッチが操作されたときに記憶手段に記憶されている対応関係の中から当該操作スイッチと個別制御関係又は一括制御関係にある１乃至複数の負荷を制御するための制御コマンドを生成し当該制御コマンドを含むパケットを伝送手段より各制御端末器へ伝送させる制御手段とを備え、制御端末器は、信号線を介して操作端末器との間でパケットを伝送する伝送手段と、伝送手段で受信したパケットに含まれる制御コマンドに応じて負荷を制御するとともに当該制御コマンドの送信元である操作端末器に対して、制御後の負荷の状態を通知するためのパケットを伝送手段より伝送させる制御手段とを備え、操作端末器の制御手段は、伝送手段で受信するパケットに含まれる制御後の負荷の状態を当該制御前の負荷の状態とともに記憶手段に記憶するとともに、特定の操作スイッチが操作されたときに記憶手段に記憶されている負荷の状態を参照して前記再現制御を行うための制御コマンドを生成し当該制御コマンドを含むパケットを伝送手段より各制御端末器へ伝送させることを特徴とする。
【００２４】
請求項４の発明によれば、操作端末器と制御端末器との間で信号線を介して直接制御コマンドを含むパケットを伝送するから、信号線が断線したり、あるいは操作端末器又は制御端末器の何れかが故障してもシステム全体が動作不能になることがない。
【００２５】
請求項５の発明は、請求項４の発明において、操作端末器は、制御端末器から受け取った負荷の状態に応じて、制御対象である全ての負荷が動作状態であるか否かを表示する表示手段を備えたことを特徴とする。
【００２６】
請求項５の発明によれば、複数の負荷毎の動作状態を表示する表示手段を設けなくても、制御対象である全ての負荷が動作状態であるか否かを表示手段の表示によって確認できるため、一括制御の要否を簡単に判断できる。
【発明の効果】
【００２７】
本発明によれば、現在の状態に制御される前の負荷の状態を容易に再現できる。
【図面の簡単な説明】
【００２８】
【図１】本発明の実施形態１を示すシステム構成図である。
【図２】同上における操作制御端末器の回路ブロック図である。
【図３】同上における操作端末器の回路ブロック図である。
【図４】（ａ），（ｂ）は同上におけるパケットの説明図である。
【図５】同上の動作説明用のシーケンス図である。
【図６】同上の動作説明用のシーケンス図である。
【図７】本発明の実施形態２を示すシステム構成図である。
【図８】同上の動作説明用のシーケンス図である。
【図９】同上の動作説明用のシーケンス図である。
【図１０】従来例を示すシステム構成図である。
【図１１】同上における伝送信号の説明図である。
【発明を実施するための形態】
【００２９】
以下、図面を参照して本発明の実施形態を詳細に説明する。
【００３０】
（実施形態１）
図１に本実施形態のシステム構成図を示す。本実施形態の負荷制御システムは、それぞれが負荷Ｌに接続された複数（図示例では４つ）の操作制御端末器１と、２線式の信号線Ｌｓを介して各操作制御端末器１と接続された複数（図示例では２つ）の操作端末器２とで構成される。負荷Ｌは、例えば、照明負荷であって電源線Ｌｐを介して商用交流電源ＡＣに接続されている。但し、本発明に係る負荷制御システムが制御対象とする負荷Ｌは照明負荷に限定されるものではなく、例えば、エアコンディショナや換気扇、電動カーテンなどの電気機器全般を制御対象とすることができる。
【００３１】
本実施形態における操作制御端末器１には、一つの操作スイッチＳ１１を有し当該操作スイッチＳ１１が操作されたときに一つの負荷Ｌを点灯又は消灯する機能（以下、個別点滅機能と呼ぶ。）を有する操作制御端末器１Ａ、複数（図示例では２つ）の操作スイッチＳ２１，Ｓ２２を有するとともに各操作スイッチＳ２１，Ｓ２２に対応する複数（図示例では２つ）の負荷Ｌが接続され、それぞれ操作スイッチＳ２１，Ｓ２２の操作に応じて２つの負荷Ｌを個別に点灯又は消灯する個別点滅機能を有する操作制御端末器１Ｂ、複数（図示例では３つ）の操作スイッチＳ３１〜Ｓ３３，Ｓ４１〜Ｓ４３を有し操作スイッチＳ３１，Ｓ４１が操作されたときに負荷Ｌを点灯又は消灯するとともに一方の操作スイッチＳ３２，Ｓ４２が操作されると負荷Ｌの光出力を増大させ、他方の操作スイッチＳ３３，Ｓ４３が操作されると負荷Ｌの光出力を減少させる機能（以下、調光点滅機能と呼ぶ。）を有する操作制御端末器１Ｃ，１Ｄの３種類がある。但し、３種類の操作制御端末器１を区別して説明する場合には「１Ａ」，「１Ｂ」，「１Ｃ」，「１Ｄ」の符号を記し、全ての種類の操作制御端末器１を共通に説明する場合には「１」の符号を記すこととする。
【００３２】
一方、操作端末器２には負荷が接続されておらず、複数（図示例では３つ又は２つ）の操作スイッチＳ５１〜Ｓ５３，Ｓ６１〜Ｓ６２を有し、何れかの操作スイッチＳ５１，…が操作されたときに信号線Ｌｓを介して制御コマンドを含むパケット（後述する）を送信することで何れかの操作制御端末器１に自らの制御対象である負荷Ｌを制御させる機能（以下、遠隔制御機能と呼ぶ。）を有している。
【００３３】
操作制御端末器１は、埋込型の配線器具に用いられる取付枠並びにフラッシプレートを用いて住宅等の建物の壁に埋込配設される。
【００３４】
操作制御端末器１の回路ブロック図を図２に示す。信号伝送部１２は、図４（ａ）に示すフォーマットのパケットを符号化し且つディジタル変調して信号線Ｌｓを介して送信するとともに信号線Ｌｓを介して受信したパケットをディジタル復調して復号するものであって、各操作制御端末器１毎に割り当てられている固有の識別符号によって送信先及び送信元を識別している。尚、識別符号は、ＭＡＣアドレスのようにハードウェアの製造者によって割り当てられた当該ハードウェアに固有の物理アドレスであってもよいし、あるいは、使用者が任意に割り当てるアドレスであってもよく、要するに同一システム（同一ネットワーク）の複数の操作制御端末器１並びに操作端末器２に対して同じ識別符号が重複して割り当てられなければよい。伝送されるパケットは、同期確立用のプリアンブル、データの種類を設定する制御ビット、宛先アドレス、送信元アドレス、制御コマンドなどのデータ、誤り検出用のチェックサムからなる。尚、本実施形態においては、従来周知のＣＳＭＡ／ＣＤ方式による多重伝送を行っている。
【００３５】
操作入力受付部１１は、操作スイッチＳ１１，…の操作状態を監視し、操作スイッチＳ１１，…が操作されたときに操作入力を受け付けて各操作スイッチＳ１１，…に対応した操作信号を出力する。但し、同一の操作スイッチＳ１１，…について、例えば、短く押す操作と長く押す操作を区別して互いに異なる操作信号（操作入力）を出力するようにしても構わない。制御部１０はＣＰＵを主構成要素とし、操作入力受付部１１から出力される操作信号を取り込み、取り込んだ操作信号に対応する制御信号を負荷駆動部１４に出力する。負荷駆動部１４は、個別点滅機能を有する操作制御端末器１Ａ，１Ｂにおいては商用交流電源ＡＣから負荷Ｌへの給電（通電）を制御信号に応じて入切する機能を有し、調光点滅機能を有する操作制御端末器１Ｃ，１Ｄにおいては上記入切機能に加えて商用交流電源ＡＣから負荷Ｌへの単位時間当たりの給電量を制御信号に応じて調整することで負荷Ｌの光出力を増減する機能を有している。尚、給電（通電）の入切はリレーを用いた従来周知の方法で実現可能であり、また、給電量の調整も従来周知であるトライアックを用いた位相制御方式などで実現可能であるから、詳細な構成の図示並びに説明は省略する。
【００３６】
記憶部１３は電気的に書換可能な不揮発性半導体メモリ（例えば、ＥＥＰＲＯＭやフラッシュメモリなど）からなり、後述するマルチキャストアドレス、複数の負荷Ｌを識別するための負荷識別符号、などの情報を記憶する。但し、操作制御端末器１に固有の識別符号が使用者によって任意に割り当てられる場合には、当該識別符号も記憶部１３に記憶される。動作表示部１５は、自らの制御対象である負荷Ｌの動作状態（点灯又は消灯）を表示するものであって、ＬＥＤなどの発光素子ＬＤ１１，…と発光素子ＬＤ１１，…を駆動する駆動回路（図示せず）を有し、制御部１０から出力される制御信号に応じて駆動回路が発光素子ＬＤ１１，…を点灯及び消灯させる。尚、動作表示部１５の発光素子ＬＤ１１，…は、図１に示すように対応する操作スイッチＳ１１，…の近傍に配設されている。電源部１６は、電源線Ｌｐを介して商用交流電源ＡＣから給電される交流電力を直流電力に変換することで各部の動作電源を作成するものである。
【００３７】
ここで、操作制御端末器１が自らの制御対象である負荷Ｌを制御する動作について説明する。操作制御端末器１Ａにおいて操作スイッチＳ１１が操作されると、操作入力受付部１１から制御部１０へ操作信号が出力され、当該操作信号を受け取った制御部１０は負荷Ｌの動作状態を反転（負荷Ｌが点灯している場合は消灯、負荷Ｌが消灯している場合は点灯）させるための制御信号を負荷駆動部１４に出力する。負荷駆動部１４では制御部１０から受け取った制御信号に応じてリレーをオン又はオフすることで負荷Ｌの動作を反転させる。また、制御部１０では負荷駆動部１４に制御信号を出力した後、動作表示部１５に対しても発光素子ＬＤ１１の状態を反転（点灯していれば消灯、消灯していれば点灯）させるための制御信号を出力し、当該制御信号に応じて動作表示部１５の駆動回路が発光素子ＬＤ１１を消灯又は点灯させる。尚、操作制御端末器１Ｂにおいては、一方の操作スイッチＳ２１が操作されたときに一方の負荷Ｌの動作状態並びに動作表示部１５の操作スイッチＳ２１に対応する発光素子ＬＤ２１の状態が反転し、他方の操作スイッチＳ２２が操作されたときに他方の負荷Ｌの動作状態並びに動作表示部１５の操作スイッチＳ２２に対応する発光素子ＬＤ２２の状態が反転する。
【００３８】
操作制御端末器１Ｃ，１Ｄにおいて操作スイッチＳ３１，Ｓ４１が操作されたときは負荷Ｌの動作状態並びに動作表示部１５の操作スイッチＳ２１に対応する発光素子ＬＤ２１の状態が反転する。また、負荷Ｌが点灯している状態で操作スイッチＳ３２，Ｓ４２が操作されると、操作入力受付部１１から制御部１０へ操作信号が出力され、当該操作信号を受け取った制御部１０は負荷Ｌの光出力（調光レベル）を増大させるための制御信号を負荷駆動部１４に出力する。負荷駆動部１４では制御部１０から受け取った制御信号に応じて駆動回路を介して負荷Ｌに給電する単位時間当たりの給電量を増加させる。さらに、負荷Ｌが点灯している状態で操作スイッチＳ３３，Ｓ４３が操作されると、操作入力受付部１１から制御部１０へ操作信号が出力され、当該操作信号を受け取った制御部１０は負荷Ｌの光出力（調光レベル）を減少させるための制御信号を負荷駆動部１４に出力する。負荷駆動部１４では制御部１０から受け取った制御信号に応じて駆動回路を介して負荷Ｌに給電する単位時間当たりの給電量を減少させる。但し、負荷Ｌが消灯している状態で操作スイッチＳ３２，Ｓ４２又はＳ３３，Ｓ４３が操作されたときに負荷Ｌを点灯させた後にその光出力（調光レベル）を増減させてもよい。また、制御部１０では操作スイッチＳ３１，Ｓ４１が操作されて負荷Ｌを消灯する際、消灯時点における調光レベルを記憶部１３に記憶させておき、次に操作スイッチＳ３１，Ｓ４１が操作されたときは記憶部１３に記憶させた前回の調光レベルを読み出し、当該調光レベルに対応した給電量とするための制御信号を負荷駆動部１４に出力することで前回の光出力（調光レベル）を直ちに再現することができる。
【００３９】
操作端末器２の回路ブロック図を図３に示す。信号伝送部２２は、図４（ａ）に示すフォーマットのパケットを符号化し且つディジタル変調して信号線Ｌｓを介して送信するとともに信号線Ｌｓを介して受信したパケットをディジタル復調して復号するものであって、固有の識別符号によって送信先及び送信元を識別している。
【００４０】
操作入力受付部２１は、操作スイッチＳ５１，Ｓ５２，Ｓ５３１、Ｓ６１，Ｓ６２の操作状態を監視し、操作スイッチＳ５１，…が操作されたときに操作入力を受け付けて各操作スイッチＳ５１，…に対応した操作信号を出力する。制御部２０はＣＰＵを主構成要素とし、操作入力受付部２１から出力される操作信号を取り込み、取り込んだ操作信号に対応する制御コマンドを生成する。記憶部２３は書換可能な不揮発性半導体メモリ（例えば、ＥＥＰＲＯＭやフラッシュメモリなど）からなり、操作スイッチＳ５１，…に対応するグループやパターングループ（後述する）に属する操作制御端末器１の識別符号、マルチキャストアドレス、他の操作端末器２の識別符号、一括制御対象の負荷Ｌの状態などの情報を記憶している。
【００４１】
動作表示部２４は、操作スイッチＳ５１，…に対応した負荷Ｌの動作状態を表示するものであって、ＬＥＤなどの発光素子ＬＤ５１，ＬＤ５２，ＬＤ５３、ＬＤ６１，ＬＤ６２と発光素子ＬＤ５１，…を駆動する駆動回路（図示せず）を有し、制御部２０から出力される制御信号に応じてグループ制御やパターン制御の対象である負荷Ｌが全て動作中（点灯中）であるときに駆動回路が発光素子ＬＤ５１，…を消灯させ、グループ制御やパターン制御の対象である負荷Ｌの少なくとも一部が非動作中（消灯中）であるときに駆動回路が発光素子ＬＤ５１，…を点灯させる。尚、動作表示部２４の発光素子ＬＤ５１，…は、図１に示すように対応する操作スイッチＳ５１，…の近傍に配設されている。電源部２５は、電源線Ｌｐを介して商用交流電源ＡＣから給電される交流電力を直流電力に変換することで各部の動作電源を作成するものである。
【００４２】
ここで、一括制御について簡単に説明する。従来技術でも説明したように、一括制御にはグループ制御とパターン制御（負荷Ｌが照明負荷の場合は「シーン制御」とも呼ばれる。）とがあり、グループ制御とは、同一のグループに属する負荷Ｌを一括して同じ動作状態に制御する制御方式であり、パターン制御とは、同一のパターングループに属する負荷Ｌをそれぞれの負荷Ｌ毎に設定された動作状態に一括して制御する制御方式である。本実施形態においては、一方の操作端末器２Ａの操作スイッチＳ５１〜Ｓ５３がグループ制御に対応し、他方の操作端末器２Ｂの操作スイッチＳ６１，Ｓ６２がパターン制御に対応している。例えば、操作スイッチＳ５１に対応するグループ制御は、信号線Ｌｓに接続されている全ての操作制御端末器１Ａ〜１Ｄが属するグループにおいて、当該グループに属する全ての操作制御端末器１Ａ〜１Ｄに接続されている負荷Ｌを一斉に点灯又は消灯させる制御であって、操作端末器２Ａの記憶部２３には当該グループに属する操作制御端末器１Ａ〜１Ｄの識別符号が操作スイッチＳ５１と対応付けて記憶されている。また、操作スイッチＳ６１に対応するパターン制御は、全ての操作制御端末器１Ａ〜１Ｄが属する第１のパターングループにおいて、例えば、操作制御端末器１Ａの負荷Ｌ及び操作制御端末器１Ｂの２つの負荷Ｌを点灯、操作制御端末器１Ｃの負荷Ｌを調光レベル５０％で調光点灯、操作制御端末器１Ｄの負荷Ｌを７０％で調光点灯させる制御（第１のパターン制御）であって、操作端末器２Ｂの記憶部２３には当該第１のパターングループに属する操作制御端末器１Ａ〜１Ｄの識別符号及び各負荷Ｌ毎の制御内容（調光レベル）が操作スイッチＳ６１と対応付けて記憶されている。さらに、操作スイッチＳ６２に対応するパターン制御は、２つの操作制御端末器１Ｃ，１Ｄが属する第２のパターングループにおいて、操作制御端末器１Ｃの負荷Ｌを調光レベル７０％で調光点灯、操作制御端末器１Ｄの負荷Ｌを３０％で調光点灯させる制御（第２のパターン制御）であって、操作端末器２Ｂの記憶部２３には当該第２のパターングループに属する操作制御端末器１Ｃ，１Ｄの識別符号及び各負荷Ｌ毎の制御内容（調光レベル）が操作スイッチＳ６２と対応付けて記憶されている。但し、各操作制御端末器１Ａ〜１Ｄが一括制御の何れのグループ又はパターングループに属するかは任意に選択可能である。また操作端末器２では、後述するように操作制御端末器１Ａ〜１Ｄから通知される負荷Ｌの状態を記憶部２３に記憶している。
【００４３】
次に、操作端末器２を用いて複数の負荷Ｌを一括制御（グループ制御並びにパターン制御）する動作について説明する。
【００４４】
まず、図５のシーケンス図を参照しながら操作端末器２Ａによるグループ制御の動作について説明する。操作端末器２Ａの操作スイッチＳ５１が操作されると、操作入力受付部２１から制御部２０へ操作信号が出力され、当該操作信号を受け取った制御部２０は記憶部２３に記憶されている対応関係を参照して当該操作信号（操作スイッチＳ５１による操作入力）に対応付けられている操作制御端末器１Ａ〜１Ｄの識別符号と、操作制御端末器１Ａ〜１Ｄに接続されている制御対象の負荷Ｌの状態（最新の状態）とを取得する。制御部２０は、記憶部２３から取得した各負荷Ｌの状態が全て同じ、すなわち、全ての負荷Ｌが点灯状態又は消灯状態であれば、それぞれ反対の状態（点灯状態であれば消灯、消灯状態であれば点灯）とする制御コマンドを生成し、各負荷Ｌの状態が全て同じでない、例えば、何れか一つの負荷Ｌのみが点灯状態であり且つ残りの負荷Ｌが消灯状態であれば、全ての負荷Ｌを同じ状態（点灯状態又は消灯状態）とする制御コマンドを生成する。さらに制御部２０は、生成した制御コマンドをデータに設定するとともに宛先アドレスにマルチキャストアドレスを設定し且つ送信元アドレスに自己の識別符号を設定したパケットを作成し、当該パケットを信号伝送部２２より信号線Ｌｓを介して送信させる。尚、制御コマンドは、図４（ｂ）に示すようにコマンド内容（今の場合は負荷制御）、制御対象の操作制御端末器１Ａ〜１Ｄの識別符号及び負荷Ｌの制御内容（今の場合は点灯又は消灯）からなる。また、宛先アドレスにマルチキャストアドレスが設定されたパケットは、本実施形態の負荷制御システムを構成する全ての端末器（操作制御端末器１並びに操作端末器２）で受信される。
【００４５】
操作制御端末器１Ａ〜１Ｄにおいては、信号伝送部１２で当該パケットを受信して制御部１０に渡し、制御部１０では、受け取ったパケットに含まれる制御コマンドに自己の識別符号が含まれていれば当該識別符号と対応した制御内容に応じて負荷Ｌを点灯又は消灯させるための制御信号を負荷駆動部１４に出力する。負荷駆動部１４では制御部１０から受け取った制御信号に応じてリレーをオン又はオフすることで負荷Ｌを点灯又は消灯させる。また制御部１０では、制御コマンドを受け取ってから所定の待機時間（各操作制御端末器１Ａ〜１Ｄ毎に異なった時間）が経過した後、制御コマンドを含むパケットの送信元アドレスに設定されている操作端末器２Ａの識別符号を宛先アドレスに設定するとともに自己の識別符号を送信元アドレスに設定し、且つ制御後の負荷Ｌの状態（点灯又は消灯）をデータに設定したパケット（負荷状態通知のパケット）を生成して信号伝送部１２より信号線Ｌｓを介して送信させる。さらに制御部１０は、制御後の負荷Ｌの状態に応じて自己の動作表示部１５の表示を変更する。
【００４６】
一方、操作端末器２Ａでは、信号伝送部２２で当該パケットを受信して制御部２０に渡し、制御部２０では、受け取ったパケットに含まれる負荷Ｌの状態を記憶部２３に記憶させる。そして、操作スイッチＳ５１に対応したグループに属する全ての操作制御端末器１Ａ〜１Ｄから負荷状態通知のパケットを受け取れば、制御部２０は動作表示部２４の表示を変更する、例えば、全ての負荷Ｌを点灯した場合は発光素子ＬＤ５１を消灯し、全ての負荷Ｌを消灯した場合は発光素子ＬＤ５１を点灯する。このように発光素子ＬＤ５１を消灯させることで制御対象である全ての負荷Ｌが動作状態（点灯状態）であることを表示し、発光素子ＬＤ５１を点灯させることで制御対象である全ての負荷Ｌが非動作状態（消灯状態）であることを表示すれば、それぞれの負荷Ｌの動作状態を個別に表示する表示手段（発光素子）を設けなくても、制御対象である全ての負荷Ｌが動作状態（点灯状態）であるか否かを発光素子ＬＤ５１の表示によって確認できるため、一括制御の要否を簡単に判断できるという利点がある。
【００４７】
ここで、何れかの操作制御端末器１Ａ〜１Ｄから負荷状態通知のパケットを受信できない場合、操作端末器２Ａの制御部２０は、負荷状態通知のパケットを受信できなかった操作制御端末器（例えば、１Ｄ）の識別符号を宛先アドレスに設定し、負荷状態の通知を要求する制御コマンドをデータに設定したパケットを信号伝送部２２より信号線Ｌｓを介して送信させる。そして、負荷状態通知を要求する当該パケットを受け取った操作制御端末器１Ｄから負荷状態通知のパケットが返信されてくれば、操作端末器２Ａの制御部２０は通知された負荷Ｌの状態を記憶部２３に記憶させ、負荷状態通知のパケットが返信されて来なければ、操作端末器２Ａの制御部２０は動作表示部２４の発光素子ＬＤ５１を点滅させるなどの方法で異常が生じていることを表示する。さらに制御部２０では、操作制御端末器１Ａ〜１Ｄから負荷状態通知のパケットを受信した後、当該パケットによって取得した最新の負荷Ｌの状態を他の操作端末器２Ｂに転送するための制御コマンドを生成し、当該転送用の制御コマンドをデータに設定し、宛先アドレスに第２のマルチキャストアドレス（操作端末器２のみを対象とし操作制御端末器１Ａ〜１Ｄを対象としないマルチキャストアドレス）を設定するとともに送信元アドレスに自己の識別符号を設定した転送用のパケットを信号伝送部２２から信号線Ｌｓを介して送信する。当該転送用のパケットを受信した他の操作端末器２Ｂでは、制御前の負荷Ｌの状態とともに、当該パケットによって転送された制御後の負荷Ｌの状態を記憶部２３に記憶する。ここで、転送用のパケットを受信した他の操作端末器２Ｂから当該パケットの送信元の操作端末器２Ａには受信確認のためのＡＣＫパケットがユニキャストで返信されるのであるが、ＡＣＫパケットを受け取ることができなかった他の操作端末器２Ｂに対しては、転送元の操作端末器２Ａから再度転送用のパケットをユニキャスト伝送する。
【００４８】
続いて、図６のシーケンス図を参照しながら操作端末器２Ｂによるパターン制御（第２のパターン制御）の動作について説明する。操作端末器２Ｂの操作スイッチＳ６２が操作されると、操作入力受付部２１から制御部２０へ操作信号が出力され、当該操作信号を受け取った制御部２０は記憶部２３に記憶されている対応関係を参照して当該操作信号（操作スイッチＳ６２による操作入力）に対応付けられている操作制御端末器１Ｃ，１Ｄの識別符号と、操作制御端末器１Ｃ，１Ｄに接続されている制御対象の負荷Ｌに対する制御内容（調光レベル）とを取得する。制御部２０は、記憶部２３から取得した制御内容（第２のパターン制御）に応じて、操作制御端末器１Ｃの負荷Ｌを調光レベル７０％で調光点灯し、操作制御端末器１Ｄの負荷Ｌを３０％で調光点灯させる制御コマンドを生成し、生成した制御コマンドをデータに設定するとともに宛先アドレスにマルチキャストアドレスを設定し且つ送信元アドレスに自己の識別符号を設定したパケットを作成して信号伝送部２２より信号線Ｌｓを介して送信させる。尚、この制御コマンドには第２のパターングループに属さない操作制御端末器１Ａ，１Ｂの識別符号及び制御内容は含まれていない。
【００４９】
操作制御端末器１Ａ〜１Ｄにおいては、信号伝送部１２で当該パケットを受信して制御部１０に渡す。操作制御端末器１Ａ，１Ｂの制御部１０では、受け取ったパケットに含まれる制御コマンドに自己の識別符号が含まれていないので、負荷Ｌの制御は行わずに現在の負荷Ｌの状態（点灯又は消灯）をデータに設定したパケット（負荷状態通知のパケット）を生成して信号伝送部１２より信号線Ｌｓを介して送信させる。一方、操作制御端末器１Ｃ，１Ｄの制御部１０では、受け取ったパケットに含まれる制御コマンドに自己の識別符号が含まれているので、自己の識別符号と対応する制御内容（調光レベル）で負荷Ｌを調光点灯させるための制御信号を負荷駆動部１４に出力する。負荷駆動部１４では制御部１０から受け取った制御信号に応じて駆動回路を介して負荷Ｌに給電する単位時間当たりの給電量を調整させる。また操作制御端末器１Ｃ，１Ｄの制御部１０では、制御コマンドを受け取ってから所定の待機時間が経過した後、制御コマンドを含むパケットの送信元アドレスに設定されている操作端末器２Ｂの識別符号を宛先アドレスに設定するとともに自己の識別符号を送信元アドレスに設定し、且つ制御後の負荷Ｌの状態（調光レベル）をデータに設定した負荷状態通知のパケットを生成して信号伝送部１２より信号線Ｌｓを介して送信させる。さらに制御部１０は、制御後の負荷Ｌの状態に応じて自己の動作表示部１５の表示を変更する。
【００５０】
操作端末器２Ｂでは、信号伝送部２２で当該パケットを受信して制御部２０に渡し、制御部２０では、受け取ったパケットに含まれる負荷Ｌの状態を記憶部２３に記憶させる。そして、操作スイッチＳ６２に対応した第２のパターングループに属する全ての操作制御端末器１Ｃ，１Ｄから負荷状態通知のパケットを受け取れば、制御部２０は動作表示部２４の発光素子ＬＤ６２を点灯させて第２のパターン制御が実行中であることを表示する。さらに制御部２０では、操作制御端末器１Ａ〜１Ｄから負荷状態通知のパケットを受信した後、当該パケットによって取得した最新の負荷Ｌの状態を他の操作端末器２Ａに転送するための制御コマンドを生成し、当該転送用の制御コマンドをデータに設定し、宛先アドレスに第２のマルチキャストアドレスを設定するとともに送信元アドレスに自己の識別符号を設定した転送用のパケットを信号伝送部２２から信号線Ｌｓを介して送信する。当該転送用のパケットを受信した他の操作端末器２Ａでは、制御前の負荷Ｌの状態とともに、当該パケットによって転送された制御後の負荷Ｌの状態を記憶部２３に記憶する。尚、第１のパターン制御の動作については基本的に第２のパターン制御の動作と共通であるから説明は省略する。
【００５１】
上述のように本実施形態の負荷制御システムでは、操作制御端末器１の操作スイッチＳ１１，…を操作することで操作制御端末器１に接続されている制御対象の負荷Ｌを直接制御することができ、また、操作端末器２の操作スイッチＳ５１，…を操作することで操作端末器２と信号線Ｌｓを介して接続された操作制御端末器１の負荷Ｌを遠隔から制御することもできる。しかも、操作端末器２と操作制御端末器１が信号線Ｌｓを介して直接制御コマンドを含むパケットを伝送するから、信号線Ｌｓが断線したり、あるいは操作制御端末器１又は操作端末器２の何れかが故障してもシステム全体が動作不能になることがない。さらに、複数の操作制御端末器１の負荷Ｌを遠隔から一括制御する際、各操作制御端末器１に対して個別に制御コマンドを含むパケットを伝送（ユニキャスト伝送）するのではなく、当該制御コマンドを含むパケットを複数の操作制御端末器１に対してマルチキャスト伝送するので、制御対象の全ての負荷Ｌを一斉に制御することができ、その結果、集中制御型の従来システムと比べて安定性並びに負荷制御の応答性が向上できるという利点がある。
【００５２】
次に、本発明の要旨である再現制御について説明する。従来技術で説明したように、例えば、第１のパターン制御が実行された後、誤ってグループ制御が実行されて全ての負荷Ｌが消灯してしまった場合、使用者がグループ制御の実行前（消灯前）の負荷Ｌの状態（第１のパターン制御が実行された状態）を覚えていれば、操作端末器２Ｂの操作スイッチＳ６１を操作することでグループ制御が実行される一つ前の負荷状態（第１のパターン制御が実行された状態）を再現することは可能である。しかしながら、使用者がグループ制御の実行前の負荷状態を覚えていなければ、グループ制御が実行される一つ前の負荷状態（第１のパターン制御が実行された状態）を再現することは簡単ではない。特に、一括制御によって消灯される一つ前の負荷状態が第１及び第２の何れのパターン制御による負荷状態とも一致しない場合、その負荷状態を再現することは非常に困難である。あるいは、使用者が個別制御機能を利用して好みの負荷状態に設定している状況において、外出や就寝時にグループ制御を利用して全ての負荷を消灯した後、帰宅又は起床時に前記好みの負荷状態を再現するには、再度、使用者が個別制御機能を利用して個々の負荷を制御しなければならないために使い勝手が良くない。
【００５３】
そこで本実施形態では、一括制御機能を有する操作端末器２の記憶部２３に、各操作スイッチＳ５１，…の制御対象である負荷Ｌの状態（点灯、消灯、調光レベル）の履歴（少なくとも現在の状態とその一つ前の状態を含む。以下同じ。）を記憶しておき、制御対象である負荷Ｌが全て消灯している既定の状態で所定の再現制御の操作入力が操作入力受付部２１で受け付けられたら、制御部２０が記憶部２３に記憶している履歴を参照して既定状態（全ての負荷Ｌが消灯している状態）の一つ前の各負荷Ｌの状態を取得し、制御対象である各負荷Ｌを記憶部２３から取得したそれぞれの負荷状態とする制御コマンドを生成し、当該制御コマンドをデータに設定するとともに宛先アドレスにマルチキャストアドレスを設定し且つ送信元アドレスに自己の識別符号を設定したパケットを作成して信号伝送部２２より信号線Ｌｓを介して送信させる。尚、再現制御の操作入力を一括制御用の操作スイッチＳ５１〜Ｓ５３，Ｓ６１，Ｓ６２による操作入力で兼用し、当該操作入力が受け付けられた時点の負荷Ｌの状態が既定状態であれば再現制御を行い、既定状態でなければ一括制御（グループ制御又はパターン制御）を行うようにすればよい。尚、これに限らず、再現制御専用の操作スイッチを操作端末器２に設けてもよいし、あるいは、一括制御用の操作スイッチＳ５１〜Ｓ５３，Ｓ６１，Ｓ６２を短く押した操作入力は一括制御用の操作入力とし、長く押した操作入力は再現制御用の操作入力としても構わない。但し、再現制御専用の操作スイッチを設けるか、あるいは操作スイッチＳ５１，…を長く押操作したときに再現制御を行う場合においては、現在の負荷Ｌの状態が既定状態か否かに関わらず、現在の負荷Ｌの状態となる一つ前の状態を再現する再現制御を行うようにしても構わない。
【００５４】
そして、操作端末器２から送信された上記再現制御用のパケットを受信した操作制御端末器１Ａ〜１Ｄにおいては、それぞれの制御部１０が、受け取ったパケットに含まれる制御コマンドに応じて負荷Ｌを点灯あるいは調光点灯させるための制御信号を負荷駆動部１４に出力する。その結果、制御対象の全ての負荷Ｌが既定状態（消灯状態）となる一つ前の状態に再現制御されることになる。このように本実施形態では、使用者が負荷Ｌの状態を覚えていなくても操作端末器２の操作スイッチ（再現制御用の操作スイッチ若しくは一括制御用と兼用された操作スイッチ）を操作するだけの簡単な作業で既定状態となる一つ前の負荷Ｌの状態が容易に再現できる。
【００５５】
ところで、本実施形態では再現制御を実行する前提である負荷Ｌの既定状態を、全ての負荷Ｌが消灯している状態、つまり、負荷Ｌへの通電を切っている状態としたが、これに限定されるものではなく、例えば、操作スイッチＳ６１に対応する第１のパターン制御が実行されたときの負荷Ｌの状態を既定状態と定め、誤って操作スイッチＳ６１を操作して第１のパターン制御を実行してしまった場合に再度操作スイッチＳ６１を操作すれば、第１のパターン制御が実行される一つ前の負荷Ｌの状態を再現するようにしても構わない。
【００５６】
尚、本実施形態では一括制御の制御対象である全ての負荷Ｌの状態の履歴を操作端末器２が備える記憶部２３に記憶する構成としたが、各操作制御端末器１が自らの制御対象である負荷Ｌの状態の履歴を記憶部１３に記憶し、操作端末器２から再現制御の制御コマンドを受け取った個々の操作制御端末器１の制御部１０が、記憶部１３に記憶している履歴を参照して再現制御を行うようにしても構わない。さらに、個々の操作端末器２Ａ，２Ｂの記憶部２３に各々の一括制御の制御対象である負荷Ｌの状態の履歴を記憶する代わりに、全ての操作端末器２から信号線Ｌｓを介して読み書きが可能な記憶装置（記憶手段）を設け、当該記憶装置に各負荷Ｌの状態の履歴を記憶するようにしても構わない。
【００５７】
（実施形態２）
図７に本実施形態のシステム構成図を示す。本実施形態の負荷制御システムは、実施形態１で説明した操作端末器２に負荷Ｌを接続して当該負荷Ｌを直接制御可能としたものである。言い換えると、本実施形態の負荷制御システムは、遠隔制御機能を有しない操作制御端末器（第２操作制御端末器）１Ｂ〜１Ｄと、遠隔制御機能を有する操作制御端末器（第１操作制御端末器）１Ａとで構成されている。但し、本実施形態の基本的な構成は実施形態１と共通であるから、共通の構成要素には同一の符号を付して適宜図示並びに説明は省略する。
【００５８】
第２操作制御端末器１Ｂ〜１Ｄは何れも実施形態１における操作制御端末器１Ｂ〜１Ｄと共通の構成を有している。また、実施形態１の操作端末器２に相当する第１操作制御端末器１Ａは、基本的に第２操作制御端末器１Ｂ〜１Ｄと共通の構成を有しているので、詳細な構成に付いての図示並びに説明は省略する。
【００５９】
第１操作制御端末器１Ａにおいては、操作スイッチＳ５１が実施形態１で説明したグループ制御に対応し、操作スイッチＳ５２，Ｓ５３がそれぞれ実施形態１で説明した第１及び第２のパターン制御に対応しており、グループ制御の対象であるグループや第１及び第２のパターン制御の対象である第１及び第２のパターングループに属する第２操作制御端末器１Ｂ〜１Ｄの識別符号及び各負荷Ｌ毎の制御内容（調光レベル）が操作スイッチＳ５１〜Ｓ５３と対応付けて記憶部１３に記憶されている。
【００６０】
次に、図８のシーケンス図を参照しながら第１操作制御端末器１Ａによるグループ制御の動作について説明する。第１操作制御端末器１Ａの操作スイッチＳ５１が操作されると、操作入力受付部１１から制御部１０へ操作信号が出力され、当該操作信号を受け取った制御部１０は記憶部１３に記憶されている対応関係を参照して当該操作信号（操作スイッチＳ５１による操作入力）に対応付けられている第２操作制御端末器１Ｂ〜１Ｄの識別符号と、第２操作制御端末器１Ｂ〜１Ｄに接続されている制御対象の負荷Ｌの状態（最新の状態）とを取得する。制御部１０は、記憶部１３から取得した各負荷Ｌの状態が全て同じ、すなわち、全ての負荷Ｌが点灯状態又は消灯状態であれば、それぞれ反対の状態（点灯状態であれば消灯、消灯状態であれば点灯）とする制御コマンドを生成し、各負荷Ｌの状態が全て同じでない、例えば、何れか一つの負荷Ｌのみが点灯状態であり且つ残りの負荷Ｌが消灯状態であれば、全ての負荷Ｌを同じ状態（点灯状態又は消灯状態）とする制御コマンドを生成する。さらに制御部１０は、生成した制御コマンドをデータに設定するとともに宛先アドレスにマルチキャストアドレスを設定し且つ送信元アドレスに自己の識別符号を設定したパケットを作成し、当該パケットを信号伝送部１２より信号線Ｌｓを介して送信させる。
【００６１】
第２操作制御端末器１Ｂ〜１Ｄにおいては、信号伝送部１２で当該パケットを受信して制御部１０に渡し、制御部１０では、受け取ったパケットに含まれる制御コマンドに自己の識別符号が含まれていれば当該識別符号と対応した制御内容に応じて負荷Ｌを点灯又は消灯させるための制御信号を負荷駆動部１４に出力する。負荷駆動部１４では制御部１０から受け取った制御信号に応じてリレーをオン又はオフすることで負荷Ｌを点灯又は消灯させる。また制御部１０では、制御コマンドを受け取ってから所定の待機時間（各第２操作制御端末器１Ｂ〜１Ｄ毎に異なった時間）が経過した後、制御コマンドを含むパケットの送信元アドレスに設定されている第１操作制御端末器１Ａの識別符号を宛先アドレスに設定するとともに自己の識別符号を送信元アドレスに設定し、且つ制御後の負荷Ｌの状態（点灯又は消灯）をデータに設定したパケット（負荷状態通知のパケット）を生成して信号伝送部１２より信号線Ｌｓを介して送信させる。さらに制御部１０は、制御後の負荷Ｌの状態に応じて自己の動作表示部１５の表示を変更する。
【００６２】
一方、第１操作制御端末器１Ａでは、信号伝送部１２で当該パケットを受信して制御部１０に渡し、制御部１０では、受け取ったパケットに含まれる負荷Ｌの状態を記憶部１３に記憶させる。そして、操作スイッチＳ５１に対応したグループに属する全ての第２操作制御端末器１Ｂ〜１Ｄから負荷状態通知のパケットを受け取れば、制御部１０は動作表示部１５の表示を変更する、例えば、全ての負荷Ｌを点灯した場合は発光素子ＬＤ５１を消灯し、全ての負荷Ｌを消灯した場合は発光素子ＬＤ５１を点灯する。尚、何れかの第２操作制御端末器１Ｂ〜１Ｄから負荷状態通知のパケットを受信できない場合、第１操作制御端末器１Ａの制御部１０は、負荷状態通知のパケットを受信できなかった第２操作制御端末器（例えば、１Ｄ）の識別符号を宛先アドレスに設定し、負荷状態の通知を要求する制御コマンドをデータに設定したパケットを信号伝送部１２より信号線Ｌｓを介して送信させる。そして、負荷状態通知を要求する当該パケットを受け取った第２操作制御端末器１Ｄから負荷状態通知のパケットが返信されてくれば、第１操作制御端末器１Ａの制御部１０は通知された負荷Ｌの状態を記憶部１３に記憶させ、負荷状態通知のパケットが返信されて来なければ、第１操作制御端末器１Ａの制御部１０は動作表示部１５の発光素子ＬＤ５１を点滅させるなどの方法で異常が生じていることを表示する。
【００６３】
続いて、図９のシーケンス図を参照しながらパターン制御（第２のパターン制御）の動作について説明する。第１操作制御端末器１Ａの操作スイッチＳ５３が操作されると、操作入力受付部１１から制御部１０へ操作信号が出力され、当該操作信号を受け取った制御部１０は記憶部１３に記憶されている対応関係を参照して当該操作信号（操作スイッチＳ５３による操作入力）に対応付けられている第２操作制御端末器１Ｃ，１Ｄの識別符号と、第２操作制御端末器１Ｃ，１Ｄに接続されている制御対象の負荷Ｌに対する制御内容（調光レベル）とを取得する。制御部１０は、記憶部１３から取得した制御内容（第２のパターン制御）に応じて、第２操作制御端末器１Ｃの負荷Ｌを調光レベル７０％で調光点灯し、第２操作制御端末器１Ｄの負荷Ｌを３０％で調光点灯させる制御コマンドを生成し、生成した制御コマンドをデータに設定するとともに宛先アドレスにマルチキャストアドレスを設定し且つ送信元アドレスに自己の識別符号を設定したパケットを作成して信号伝送部１２より信号線Ｌｓを介して送信させる。尚、この制御コマンドには第２のパターングループに属さない第２操作制御端末器１Ｂの識別符号及び制御内容は含まれていない。
【００６４】
第２操作制御端末器１Ｂ〜１Ｄにおいては、信号伝送部１２で当該パケットを受信して制御部１０に渡す。第２操作制御端末器１Ｂの制御部１０では、受け取ったパケットに含まれる制御コマンドに自己の識別符号が含まれていないので、負荷Ｌの制御は行わずに現在の負荷Ｌの状態（点灯又は消灯）をデータに設定したパケット（負荷状態通知のパケット）を生成して信号伝送部１２より信号線Ｌｓを介して送信させる。一方、第２操作制御端末器１Ｃ，１Ｄの制御部１０では、受け取ったパケットに含まれる制御コマンドに自己の識別符号が含まれているので、自己の識別符号と対応する制御内容（調光レベル）で負荷Ｌを調光点灯させるための制御信号を負荷駆動部１４に出力する。負荷駆動部１４では制御部１０から受け取った制御信号に応じて駆動回路を介して負荷Ｌに給電する単位時間当たりの給電量を調整させる。また第２操作制御端末器１Ｃ，１Ｄの制御部１０では、制御コマンドを受け取ってから所定の待機時間が経過した後、制御コマンドを含むパケットの送信元アドレスに設定されている第１操作制御端末器１Ａの識別符号を宛先アドレスに設定するとともに自己の識別符号を送信元アドレスに設定し、且つ制御後の負荷Ｌの状態（調光レベル）をデータに設定した負荷状態通知のパケットを生成して信号伝送部１２より信号線Ｌｓを介して送信させる。さらに制御部１０は、制御後の負荷Ｌの状態に応じて自己の動作表示部１５の表示を変更する。
【００６５】
第１操作制御端末器１Ａでは、信号伝送部１２で当該パケットを受信して制御部１０に渡し、制御部１０では、受け取ったパケットに含まれる負荷Ｌの状態を記憶部１３に記憶させる。そして、操作スイッチＳ５３に対応した第２のパターングループに属する全ての第２操作制御端末器１Ｃ，１Ｄから負荷状態通知のパケットを受け取れば、制御部１０は動作表示部１５の発光素子ＬＤ５３を点灯させて第２のパターン制御が実行中であることを表示する。尚、第１のパターン制御の動作については基本的に第２のパターン制御の動作と共通であるから説明は省略する。
【００６６】
本実施形態でも実施形態１と同様に、一括制御機能を有する第１操作制御端末器１Ａの記憶部１３に、各操作スイッチＳ５１〜Ｓ５３の制御対象である負荷Ｌの状態（点灯、消灯、調光レベル）の履歴を記憶しておき、制御対象である負荷Ｌが全て消灯している既定の状態で所定の再現制御の操作入力が操作入力受付部１１で受け付けられたら、制御部１０が記憶部１３に記憶している履歴を参照して既定状態（全ての負荷Ｌが消灯している状態）の一つ前の各負荷Ｌの状態を取得し、制御対象である各負荷Ｌを記憶部１３から取得したそれぞれの負荷状態とする制御コマンドを生成し、当該制御コマンドをデータに設定するとともに宛先アドレスにマルチキャストアドレスを設定し且つ送信元アドレスに自己の識別符号を設定したパケットを作成して信号伝送部１２より信号線Ｌｓを介して送信させる。尚、再現制御の操作入力は、再現制御専用の操作スイッチを第１操作制御端末器１Ａに設けてもよいし、あるいは、一括制御用の操作スイッチＳ５１〜Ｓ５３で兼用しても構わない。
【００６７】
そして、第１操作制御端末器１Ａから送信された上記再現制御用のパケットを受信した第２操作制御端末器１Ｂ〜１Ｄにおいては、それぞれの制御部１０が、受け取ったパケットに含まれる制御コマンドに応じて負荷Ｌを点灯あるいは調光点灯させるための制御信号を負荷駆動部１４に出力する。その結果、制御対象の全ての負荷Ｌが消灯する一つ前の負荷状態が再現されることになる。このように本実施形態においても実施形態１と同様に、使用者が負荷Ｌの状態を覚えていなくても第１操作制御端末器１Ａの操作スイッチ（再現制御用の操作スイッチ若しくは一括制御用と兼用された操作スイッチ）を操作するだけの簡単な作業で既定状態となる一つ前の負荷Ｌの状態が容易に再現できる。尚、本実施形態並びに実施形態１では一括制御用の操作スイッチＳ５１，…と対応する一つの発光素子ＬＤ５１，…で一括制御の対象である複数の負荷Ｌの動作状態を表示するようにしているが、第１操作制御端末器１Ａあるいは操作端末器２に一つの操作スイッチと当該操作スイッチに対応した一括制御の対象である複数の負荷Ｌに個別に対応する発光素子とを設けて各負荷Ｌ毎に動作状態を表示するようにしても構わない。
【００６８】
ところで、本発明の技術思想は実施形態１，２で説明した分散制御型の負荷制御システムだけでなく、従来技術で説明した集中制御型の負荷制御システムにも適用可能である。つまり、制御端末器１０３によって制御される負荷（照明負荷１０４）の動作状態は伝送制御装置１００において一元的に管理されているので、各照明負荷１０４毎の動作状態の履歴を伝送制御装置１００で記憶しておき、全ての負荷１０４が消灯している状態で操作端末器１０２に設けられた再現制御用の操作スイッチが操作されたときに、伝送制御装置１００が記憶している履歴に基づいて、全ての負荷１０４が消灯状態となる一つ前の状態となるように各制御端末器１０３に制御コマンドを送信することで照明負荷１０４の動作状態を再現することが可能である。尚、このような再現制御を行う集中制御型の負荷制御システムについては、従来技術と基本的な構成が共通であるから図示並びに詳細な説明は省略する。
【符号の説明】
【００６９】
１Ａ〜１Ｄ  操作制御端末器（制御端末器）
２Ａ，２Ｂ  操作端末器
Ｓ１１，Ｓ２１〜Ｓ２２，Ｓ３１〜Ｓ３３，Ｓ４１〜Ｓ４３，Ｓ５１〜Ｓ５３，Ｓ６１〜Ｓ６２  操作スイッチ
Ｌ  負荷（照明負荷）
Ｌｓ  信号線
【図１】
2010226663.tif 000003
【図２】
2010226663.tif 000004
【図３】
2010226663.tif 000005
【図４】
2010226663.tif 000006
【図５】
2010226663.tif 000007
【図６】
2010226663.tif 000008
【図７】
2010226663.tif 000009
【図８】
2010226663.tif 000010
【図９】
2010226663.tif 000011
【図１０】
2010226663.tif 000012
【図１１】
2010226663.tif 000013